(57)【要約】【課題】カラー画像形成装置の定着装置において、画像形成指令が出たときの定着温度までの立ち上がりは、これまで、カラー画像に合わせた設定になっていた。白黒画像の定着温度はカラー画像のそれより低くても良いにも拘わらず、同じ設定にしているため、不必要なエネルギ消費が行われていた。【解決手段】画像形成指令がカラー画像か、白黒画像かによって、定着装置に供給する電力を異ならせ、白黒画像の場合はカラー画像の場合よりも小さい供給電力とする。供給電力は、定着装置が定着開始できる温度まで上げる立ち上がり時電力と、通紙が開始されてから供給する通紙時電力とに分けられ、それぞれ、白黒画像の場合はカラー画像の場合よりも小さい供給電力とする。【選択図】図４
2011257775.tif 000002
【特許請求の範囲】
【請求項１】
加熱源と、該加熱源によって加熱される定着ローラと、該定着ローラに対し所定の圧力をもって接する加圧部材とを有し、前記定着ローラと前記加圧部材との間に形成される定着部に、未定着トナー像を形成された記録媒体を通過させることによって、前記トナー像を前記記録媒体に定着させるカラー画像形成装置の定着装置において、画像形成指令が出たことにより、前記加熱源に所定の立ち上がり時電力を供給するに当たって、該立ち上がり時電力の大きさは、前記画像形成指令が白黒画像形成指令である場合は、カラー画像形成指令である場合より小さく設定することを特徴とする定着装置。
【請求項２】
請求項１に記載の定着装置において、前記加熱源に供給する電力は、前記画像形成指令が出た後、前記記録媒体が前記定着部に至ったとき、前記立ち上がり時電力より小さい通紙時電力に切り替えることを特徴とする定着装置。
【請求項３】
請求項２に記載の定着装置において、前記通紙時電力の大きさは、前記画像形成指令が白黒画像形成指令である場合は、カラー画像形成指令である場合より小さく設定することを特徴とする定着装置。
【請求項４】
請求項１に記載の定着装置において、前記加熱源に供給する電力は、前記記録媒体が前記定着部に至って所定時間経過後、前記立ち上がり時電力より小さい通紙時電力に切り替えることを特徴とする定着装置。
【請求項５】
請求項４に記載の定着装置において、前記通紙時電力の大きさは、前記画像形成指令が白黒画像形成指令である場合は、カラー画像形成指令である場合より小さく設定することを特徴とする定着装置。
【請求項６】
加熱源と、該加熱源によって加熱される定着ローラと、該定着ローラに対し所定の圧力をもって接する加圧部材とを有し、前記定着ローラと前記加圧部材との間に形成される定着部に、未定着トナー像を形成された記録媒体を通過させることによって、前記トナー像を前記記録媒体に定着させるカラー画像形成装置の定着装置において、画像形成指令が出たことにより、前記加熱源に所定の立ち上がり時電力を供給し、前記記録媒体が前記定着部に至って所定時間経過後、前記立ち上がり時電力より小さい通紙時電力に切り替え、その通紙時電力の大きさは、前記画像形成指令が白黒画像形成指令である場合は、カラー画像形成指令である場合より小さく設定することを特徴とする定着装置。
【請求項７】
請求項１ないし６のいずれか１つに記載の定着装置を用いたことを特徴とするカラー画像形成装置。
【発明の詳細な説明】
【技術分野】
【０００１】
本発明は、カラー複写機やファクシミリ、プリンタなどの静電記録式画像形成装置に使用される定着装置に関する。
【背景技術】
【０００２】
カラー画像形成装置においては、通常、白黒画像も形成可能になっている。このような装置において、一般的に、通紙時の定着電力の過剰電力供給を防止するために、通紙開始所定時間経過後に通紙時の電力を変更する制御を有している。
転写材に転写されるトナーの付着量が白黒の２倍となるカラー画像形成は、定着性が白黒画像形成よりも比較的悪い。従来、カラー画像形成と白黒画像形成と同等の生産性を確保している画像形成装置は、特に定着立上がり直後の画像形成時の定着性の観点から、立上がり直後の定着性の悪いカラー画像形成に立上がり電力、通紙時電力、通紙時電力変更時間を合わせていたため、白黒画像形成時の立上がり時の電力がムダになっていた。
ここで、「立ち上がり」と呼んでいるのは、画像形成装置の電源が投入されたときの定着装置の温度上昇をさすのではなく、画像形成装置がすでに使用可能状態に置かれている状態において、画像形成指令が出た時点から定着可能になるまでの時間のことを言う。
カラー画像用の定着ローラと、白黒画像用の定着ローラを別に構成して、それぞれのローラを必要な所定温度まで加熱するよう構成した例がある（例えば特許文献１  参照。）。しかし、電源投入のときは、商用電源の供給能力範囲で、両方のローラに電力を供給するという記載はあるが、画像形成指令が出た時点からの立ち上がり時間については言及が無い。
【０００３】
定着ローラは共通に用いて、カラー画像用の定着下限温度と、白黒画像用の定着下限温度を異ならせる例がある（例えば、特許文献２  参照。）。この構成では、外部加熱ローラを有していて、白黒画像を定着した後、カラー画像定着に移行する場合の定着ローラ温度を問題として取り上げている。白黒画像定着後に、カラー画像定着に移行する場合には、定着ローラ温度がカラー画像定着下限温度よりも低くなっていたら、外部加熱ローラへの供給電力を、白黒画像の場合よりも大きくすることが示されている。しかし、定着立ち上がり時間に関しては特に言及がない。
すばやい立ち上がり特性を有する電磁誘導加熱方式の定着装置が種々提案されている（例えば、特許文献３参照。）。この文献では、定着装置を予熱する場合としない場合を含めて、立ち上がりが短時間で行えることが示されているが、カラー画像と白黒画像で定着装置に与える電力を変化させるような記載は無い。
【発明の概要】
【発明が解決しようとする課題】
【０００４】
カラー画像形成装置で白黒画像を形成する場合でも、定着能力をカラー画像用に合わせてあると、不必要なエネルギ消費を行うことになるので、この無駄をなくすことを目的とする。
【課題を解決するための手段】
【０００５】
請求項１に記載の発明では、加熱源と、該加熱源によって加熱される定着ローラと、該定着ローラに対し所定の圧力をもって接する加圧部材とを有し、前記定着ローラと前記加圧部材との間に形成される定着部に、未定着トナー像を形成された記録媒体を通過させることによって、前記トナー像を前記記録媒体に定着させるカラー画像形成装置の定着装置において、画像形成指令が出たことにより、前記加熱源に所定の立ち上がり時電力を供給するに当たって、該立ち上がり時電力の大きさは、前記画像形成指令が白黒画像形成指令である場合は、カラー画像形成指令である場合より小さく設定することを特徴とする。
【０００６】
請求項２に記載の発明では、請求項１に記載の定着装置において、前記加熱源に供給する電力は、前記画像形成指令が出た後、前記記録媒体が前記定着部に至ったとき、前記立ち上がり時電力より小さい通紙時電力に切り替えることを特徴とする。
請求項３に記載の発明では、請求項２に記載の定着装置において、前記通紙時電力の大きさは、前記画像形成指令が白黒画像形成指令である場合は、カラー画像形成指令である場合より小さく設定することを特徴とする。
【０００７】
請求項４に記載の発明では、請求項１に記載の定着装置において、前記加熱源に供給する電力は、前記記録媒体が前記定着部に至って所定時間経過後、前記立ち上がり時電力より小さい通紙時電力に切り替えることを特徴とする。
請求項５に記載の発明では、請求項４に記載の定着装置において、前記通紙時電力の大きさは、前記画像形成指令が白黒画像形成指令である場合は、カラー画像形成指令である場合より小さく設定することを特徴とする。
【０００８】
請求項６に記載の発明では、加熱源と、該加熱源によって加熱される定着ローラと、該定着ローラに対し所定の圧力をもって接する加圧部材とを有し、前記定着ローラと前記加圧部材との間に形成される定着部に、未定着トナー像を形成された記録媒体を通過させることによって、前記トナー像を前記記録媒体に定着させるカラー画像形成装置の定着装置において、画像形成指令が出たことにより、前記加熱源に所定の立ち上がり時電力を供給し、前記記録媒体が前記定着部に至って所定時間経過後、前記立ち上がり時電力より小さい通紙時電力に切り替え、その通紙時電力の大きさは、前記画像形成指令が白黒画像形成指令である場合は、カラー画像形成指令である場合より小さく設定することを特徴とする。
【０００９】
請求項７に記載の発明では、請求項１ないし６のいずれか１つに記載の定着装置を用いたカラー画像形成装置を特徴とする。
【発明の効果】
【００１０】
本発明によれば、カラー画像形成装置を用いて白黒画像を形成しても、定着装置に不必要な電力を供給しないで済むため、エネルギ消費を節約できる。
【図面の簡単な説明】
【００１１】
【図１】本発明を適用する電磁誘導加熱方式の定着装置を説明するための図である。
【図２】誘導加熱手段を説明するための図である。
【図３】カラーモードと白黒モードにおける定着立ち上がり特性を説明するための図である。
【図４】立ち上がり後、通紙状態における温度変化を示す図である。
【図５】立ち上がり後の電力の与え方の他の例を説明するための図である。
【図６】発熱層を有するベルトを説明するための概念図である。
【発明を実施するための形態】
【００１２】
図１は本発明を適用する電磁誘導加熱方式の定着装置を説明するための図である。
同図において符号１は発熱ローラ、２は定着ローラ、３はベルト、４は加圧ローラ、５は温度検知手段、６は誘導加熱手段、７は励磁コイル、８はコイルガイド板、９はコイルコア、１０は励磁コイルコア支持部材、１１は記録媒体、Ｔはトナーをそれぞれ示す。
定着装置は、誘導加熱手段６の電磁誘導により発熱される発熱ローラ１と、発熱ローラ１と平行に配置された定着ローラ２と、発熱ローラ１と定着ローラ２とに張け渡され、発熱ローラ１により加熱されるとともに少なくともこれらの何れかのローラの回転により矢印Ａ方向に回転する無端帯状の耐熱性ベルト（トナー加熱媒体）３と、ベルト３を介して定着ローラ２に圧接されるとともにベルト３に対して順方向に回転する加圧ローラ４とから構成されている。
【００１３】
発熱ローラ１は、たとえば鉄、コバルト、ニッケルまたはこれら金属の合金等の中空円筒状の磁性金属部材からなり、低熱容量で昇温の速い構成となっている。
定着ローラ２は、たとえばステンレススチール等の金属製の芯金２ａと、耐熱性を有するシリコンゴムをソリッド状または発泡状にして芯金２ａを被覆した弾性部材２ｂとからなる。そして、加圧ローラ４からの押圧力でこの加圧ローラ４と定着ローラ２との間に所定幅Ｎの接触部を形成している。発熱ローラ１と定着ローラ２とに張り渡されたベルト３は、誘導加熱手段６により発熱される発熱ローラ１との接触部位Ｗ１で加熱される。そして、ローラ１、２の回転によってベルト３の内面が連続的に加熱され、結果としてベルト全体に亘って加熱される。
定着装置が所定温度まで上昇すると、未定着トナーＴを担持した転写紙などの記録媒体１１が、定着ローラ２と加圧ローラ４の間に形成された幅Ｎの接触部に矢印Ｂ方向から挿入される。記録媒体上の未定着トナーＴは、定着ローラ側から受ける熱と、両ローラから受ける圧力によって軟化し、記録媒体に対する密着性が増して定着される。
【００１４】
図２は誘導加熱手段を説明するための図である。同図（ａ）は断面図、同図（ｂ）は正面図である。
電磁誘導により発熱ローラ１を発熱する誘導加熱手段６は、図１および図２（ａ）、（ｂ）に示すように、磁界発生手段である励磁コイル７と、この励磁コイル７が巻き回されたコイルガイド板８とを有している。コイルガイド板８は加熱ローラ１の外周面に近接配置された半円筒形状をしており、図２（ｂ）に示すように、励磁コイル７は長い一本の励磁コイル線材をこのコイルガイド板８に沿って発熱ローラ１の軸方向に交互に巻き付けたものである。励磁コイル７は、発振回路が周波数可変の駆動電源（図示せず）に接続されている。
励磁コイル７の外側には、図１に示すように、フェライト等の強磁性体よりなる半円筒形状の励磁コイルコア９が、励磁コイルコア支持部材１０に固定されて励磁コイル７に近接配置されている。
なお、本実施の形態において、励磁コイルコア９は比透磁率が２５００のものを使用している。
【００１５】
励磁コイル７には駆動電源から１０ｋＨｚ〜１ＭＨｚの高周波交流電流、好ましくは２０ｋＨｚ〜８００ｋＨｚの高周波交流電流が給電され、これにより交番磁界を発生する。そして、発熱ローラ１と耐熱性ベルト３との接触領域Ｗ１およびその近傍部においてこの交番磁界が発熱ローラ１に作用し、この内部では交番磁界の変化を妨げる方向に渦電流が流れる。
この渦電流が発熱ローラ１の抵抗に応じたジュール熱を発生させ、主として発熱ローラ１とベルト３との接触領域およびその近傍部において発熱ローラ１が電磁誘導加熱される。
本発明の定着装置においては図１に示すように定着ベルトの表面の温度を温度検知手段５により検知している。
予め、画像形成装置内には、カラー画像形成と、白黒画像形成が選択可能なように構成してある。カラー画像形成が指定された場合の装置の状態をカラーモード、白黒画像形成が指定された場合の装置の状態を白黒モードと呼ぶ。
【００１６】
図３はカラーモードと白黒モードにおける定着立ち上がり特性を説明するための図である。
同図において符号Ｇｃ１はカラーモード時の立ち上がり曲線、Ｇｍ１は白黒モード時の立ち上がり曲線、ＰＷは供給電力、ＴＢは基準温度、Ｔｃ０はカラーモード時の通紙開始設定温度、Ｔｍ０は白黒モード時の通紙開始設定温度、ｔｃ１、ｔｍ１等は立ち上がり時間をそれぞれ示す。図中、太線は供給電力を示す。
同図において横軸は時間（ｔ）、縦軸はベルト温度（Ｔ）と入力電力（Ｗ）を示す。
同図に示す様に、定着が立上がり前にカラー画像形成または白黒画像形成どちらかが選択されると、立上がり時、図１に示した発熱ローラ１、定着ローラ２、ベルト３、加圧ローラ４が回転、誘導加熱手段６が加熱、検知手段５がベルト温度を検出し、カラー画像形成は通紙開始設定温度Ｔｃ０まで、白黒画像形成は通紙開始設定温度Ｔｍ０になるまで立ち上がり電力を投入する。Ｔｍ０がＴｃ０より小さく設定されているのは、カラー画像の定着よりも白黒画像の定着の方がエネルギ消費が少なく、その分通紙による温度低下が少ないため、連続通紙をしても温度変化がカラー画像に比べて白黒画像の方が少ないためである。
基準温度ＴＢは、電磁誘導加熱方式の場合であれば、通常、環境温度そのものになる。ただし、熱慣性の大きい定着装置であれば、画像形成中でないときでも常時加熱しておく場合があり、その場合は予熱温度を意味することになる。その意味では、電磁誘導方式でなくてハロゲンランプ方式のような加熱手段を用いた定着装置でも、同図の説明を適用することができる。
【００１７】
立ち上がり電力の供給の仕方によって、それぞれのモードにおける立ち上がり曲線は異なる。
曲線Ｇｃ１は供給可能な最大電力ＰＷＭを与えたときの、ベルト３の検知手段５の位置における立ち上がり曲線を示している。このとき、カラーモードにおける通紙開始設定温度Ｔｃ０になるまでの時間をｔｃ１とする。この時点で記録紙を定着装置に導入してよい。時間ｔｃ１に至るまでに、ベルト３は複数回回転をするので、ミクロ的には階段状の昇温曲線になるが、簡略的に連続昇温として示してある（以後の図においても同様である。）。
同じ曲線が白黒モードにおける通紙開始設定温度Ｔｍ０を通過する時間をｔｍ１とすると、白黒モードの場合は時間ｔｍ１で記録紙を定着装置に導入してよい（Ｇｍ１）。しかし、白黒モード指定から、記録紙１１が定着位置に到達するまでの時間ｔｘｍがｔｍ１よりも大きくかかる場合がある。この場合は無理に立ち上がり時間をｔｍ１に収める必要が無いので、装置にかける負荷をなるべく小さくするため、最大電力ＰＷＭよりも小さい供給電力をかけて、立ち上がり時間が所望の時間ｔｍ２になるようにすればよい。
【００１８】
例えば、ｔｘｍがｔｃ１と等しい場合、あるいは白黒モードの立ち上がり時間をｔｃ１と等しく設定しても著しい不具合が無い場合、白黒モードにおける供給電力をＰＷ２に下げて、立ち上がり曲線をＧｍ１’に設定し、立ち上がり時間ｔｍ２’＝ｔｃ１となるようにしてかまわない。しかし、白黒モードの場合、記録紙が定着位置に到達する時間がカラーモードの場合より短くなっている場合があり、立ち上がり時間をｔｃ１に等しくしたのでは、待ち時間が長くなりすぎる場合には、曲線Ｇｍ１”のように供給電力をそれよりも大きいＰＷ３に設定して、立ち上がり時間ｔｍ２をｔｘｍに等しく設定するのがよい。
別の条件として、カラーモードにおいて、記録紙が定着位置に到達する時間ｔｘｃがｔｃ１よりも大きい場合は、電力負荷の低減のため、供給電力をＰＷ１に下げて、曲線Ｇｃ１’に示すように、立ち上がり時間ｔｃ２をｔｘｃに等しく設定してもよい。
【００１９】
図４は立ち上がり後、通紙状態における温度変化を示す図である。同図（ａ）は白黒モードの立ち上がり曲線をカラーモードと共通にした場合、同図（ｂ）はそれぞれのモードの立ち上がり時間を独立に設定した場合をそれぞれ示す。
同図（ａ）において、画像形成命令が出て、定着装置の立ち上がりが行われたとする。このとき、立ち上がり曲線をカラーモードと白黒モードで区別しない場合、同図の通紙開始設定温度Ｔｃ０が白黒モードにも適用される。本発明においては、当初供給電力として立ち上がり時電力ＰＷ０として与え、ベルト温度が通紙開始設定温度Ｔｃ０に達した時点で、定着装置に対する供給電力（以下通紙時電力と言う）を後述の所定の値まで引き下げる。なお、立ち上がり時電力ＰＷ０は図３におけるＰＷＭ、あるいはＰＷ１であってかまわない。
時間ｔｃ１において定着装置に記録媒体が到達すると、通紙段階になり、記録媒体１１の進入により、ベルト３の温度は記録媒体１１に熱を奪われるために温度低下が生ずる。記録媒体１１が１枚限りの場合は、一旦温度低下が生じても、記録媒体１１が通り過ぎてしまえば、次の記録媒体の通過がないので、ベルト温度の低下は問題が生じない。しかし、継続的な画像形成が行われると、次々と記録媒体１１が定着装置を通過するので、継続的な温度低下が生ずる。図４はそのような状態を示している。
【００２０】
ここで、通紙段階での供給電力について説明する。カラーモードにおける定着最低限温度をＴｃ１とし、白黒モードにおけるそれをＴｍ１とする。連続通紙によって奪われる熱量と、電力により供給される熱量とがほぼ等しくなったとき、ベルト温度はほぼ一定になる。そのときの温度がカラーモードの場合Ｔｃ１、白黒モードの場合Ｔｍ１となるように供給電力に関する所定の値を決定する。同図においては、その値を、カラーモードにおいては通紙時電力をＰＷ４、白黒モードにおいてはＰＷ５とする。この電力値は環境温度等によって変わる可能性があるので、それらの条件によって変更可能にしておいてもよい。
Ｔｍ１がＴｃ１よりも小さく設定されているのは、カラー画像の定着よりも白黒画像の定着の方が定着最低限温度が低くて済むからである。
【００２１】
同図（ｂ）において、立ち上がり曲線をカラーモードと白黒モードで独立に定めてある場合、それぞれの通紙開始設定温度に達した時点で、通紙時電力を所定の値に引き下げる。
同図の場合、カラーモードの方は同図（ａ）と同様であるが、白黒モードの方は、立ち上がり時電力をＰＷ３とし、時間ｔｍ１で通紙開始設定温度Ｔｍ０になったら、通紙が開始され、それと同時に通紙時電力をＰＷ５に引き下げる。
いずれの場合も通紙が終了したらその時点で、予熱方式の場合を除いて供給電力は０にしてよい。以後、ベルト温度は自然冷却により、温度低下が進み、次の画像形成がない場合は、最終的に基準温度ＴＢまで下がる。予熱方式の場合は、予熱に必要な供給電力まで下げればよい。
【００２２】
ここで、電力の与え方について言及しておく。
最大電力ＰＷＭを与える場合は、特別な工夫の余地がないが、最大電力ＰＷＭより小さい電力を与える場合は、何通りかの方法がある。例えば、連続的に電力供給を行うのであれば、電圧を下げて与えたり、電流制限をかけて与える方法がある。連続にこだわらなくてもよい場合は、間欠的な電力供給を行ってもよい。すなわち、パルス的な電力供給のデューティの変化により、所望の電力を与える方法、また、温度検知手段の出力をフィードバックかけることで、必要になる都度電力をかけて所定の温度を保つ方法などがある。
いずれの場合も結果的に有効な電力（平均的な電力）として同図のＰＷ４あるいはＰＷ５になっていればよい。
【００２３】
図５は立ち上がり後の電力の与え方の他の例を説明するための図である。同図（ａ）は白黒モードの立ち上がり曲線をカラーモードと共通にした場合、同図（ｂ）はそれぞれのモードの立ち上がり時間を独立に設定した場合、をそれぞれ示す。
この電力供給方法では、通紙時電力を２段階に切り替えている。初めに、第１段階として、通紙開始になっても直ちに供給電力を変化させるのではなく、立ち上がり時の供給電力をそのまま維持する。この場合、通紙がなければベルト温度はオーバーシュートして通紙開始設定温度以上に上がってしまうのであるが、通紙により、一時的に温度低下が生ずる。すなわち、通紙開始設定温度になった時点ではまだ温度上昇中であり、これは、定着ローラ２や加圧ローラ４が、まだ温度の安定領域に至っていないからである。したがって、通紙開始後も電力供給を継続すれば、やがては、各ローラの温度も上昇を続けて安定領域に入る。そのため、通紙を続けていると、一旦下降した温度曲線が上昇に転じ、やがては一定値に近づいていく。
本例では、通紙開始から所定の時間をおいて、第２段階として、供給電力を所定値まで下げるようにしている。所定の時間としては、白黒モードの場合は時間ｔｍ２、カラーモードの場合は時間ｔｃ２とする。
【００２４】
通紙開始と同時に供給電力を下げる場合、定着ローラ２や加圧ローラ４の熱容量がある程度大きいと、通紙による急激な温度低下のため、ベルト温度が定着最低限温度を下回ってしまう危険性がある。そのため、熱容量が大きい場合は通紙と同時に通紙時電力をＰＷ４、ＰＷ５のように小さくすることはできない。本例のように、１度温度上昇に転じて後に供給電力を下げるのであれば、定着ローラ２や加圧ローラ４が十分昇温しているので、その熱容量の大きさに左右されず、ベルト温度が定着最低限温度を下回る危険性が小さくなり、その分通紙時電力をＰＷ４、ＰＷ５のように図４の場合と同様に設定することができる。
通紙によるベルト温度低下は、白黒モードの方がカラーモードの場合より少ないので、温度上昇に転じるタイミングもカラーモードの場合より早い。そこで、通紙時電力を第２段階に切り替える時間は、白黒モード時のｔｍ２の方をカラーモード時のｔｃ２より小さくすることができる。すなわち、ｔｍ２＜ｔｃ２としてよい。
【００２５】
図６は発熱層を有するベルトを説明するための概念図である。
同図において符号３１は基層、３２は発熱層、３３は弾性層、３４は離型層をそれぞれ示す。
以上の説明では、ベルト３として単なる耐熱ベルトを前提にしてきたが、ベルト自身にも発熱層を形成してかまわない。
同図は発熱層を有する定着ベルトの一例を示している。基層３１の上に銀などの導電性材料からなる発熱層３２を形成し、その上にシリコンゴム等からなる弾性層３３、さらにその上にフッ素樹脂等からなる離型層３４が形成されている。
ベルト３は発熱ローラ１に巻回されている領域の接触部位Ｗ１を通過中、誘導加熱手段６により発熱され、発熱ローラ１とともに温度上昇する。ベルト３の昇温部分はベルト３の回転により、定着ローラ２と加圧ローラ４の間の幅Ｎの接触部を通過することにより、離型層３４が記録媒体１１上の未定着トナーＴに加圧されながら接して、トナーを記録媒体に定着させる。
【符号の説明】
【００２６】
１      加熱ローラ
２      定着ローラ
３      ベルト
４      加圧ローラ
５      温度検知手段
６      誘導加熱手段
１１      記録媒体
【先行技術文献】
【特許文献】
【００２７】
【特許文献１】特開平２−１９１９７９号公報
【特許文献２】特開２００３−２３３２７４号公報
【特許文献３】特開２００２−８２５４９号公報
【図１】
2011257775.tif 000003
【図２】
2011257775.tif 000004
【図３】
2011257775.tif 000005
【図４】
2011257775.tif 000006
【図５】
2011257775.tif 000007
【図６】
2011257775.tif 000008
【手続補正書】
【提出日】平成23年9月16日(2011.9.16)
【手続補正１】
【補正対象書類名】明細書
【補正対象項目名】０００５
【補正方法】変更
【補正の内容】
【０００５】
請求項１に記載の発明では、加熱源と、該加熱源によって加熱される加熱部材と、該加熱部材に対し所定の圧力をもって接する加圧部材とを有し、前記加熱部材と前記加圧部材との間に形成される定着部に、未定着トナー像を形成された記録媒体を通過させることによって、前記トナー像を前記記録媒体に定着させるカラー画像形成装置の定着装置において、画像形成指令が出たことにより、画像形成指令が出た時点から印刷を開始するまでの間、前記加熱源に所定の第１の電圧または第１の電流を供給するに当たって、前記画像形成指令が白黒画像形成指令である場合は、前記加熱源に供給する前記所定の第１の電圧または第１の電流をカラー画像形成指令である場合より小さく設定し、印刷を開始するときの前記加熱源に供給する所定の第２の電圧または第２の電流は、前記所定の第１の電圧または第１の電流よりも小さい所定の電圧または電流に切り替えることを特徴とする。
【手続補正２】
【補正対象書類名】明細書
【補正対象項目名】０００６
【補正方法】変更
【補正の内容】
【０００６】
請求項２に記載の発明では、加熱源と、該加熱源によって加熱される加熱部材と、該加熱部材に対し所定の圧力をもって接する加圧部材とを有し、前記加熱部材と前記加圧部材との間に形成される定着部に、未定着トナー像を形成された記録媒体を通過させることによって、前記トナー像を前記記録媒体に定着させるカラー画像形成装置の定着装置において、画像形成指令が出たことにより、画像形成指令が出た時点から印刷を開始するまでの間、前記加熱源に所定の第１の電圧または第１の電流を供給するに当たって、前記画像形成指令が白黒画像形成指令である場合は、前記加熱源に供給する前記所定の第１の電圧または第１の電流をカラー画像形成指令である場合より小さく設定し、印刷開始から所定の時間経過後における前記加熱源に供給する所定の第２の電圧または第２の電流は、前記所定の第１の電圧または第１の電流よりも小さい所定の電圧または電流に切り替えることを特徴とする。
請求項３に記載の発明では、請求項１に記載の定着装置において、前記所定の第２の電圧または第２の電流の大きさは、前記画像形成指令が白黒画像形成指令である場合は、カラー画像形成指令である場合より小さく設定することを特徴とする。
【手続補正３】
【補正対象書類名】明細書
【補正対象項目名】０００７
【補正方法】変更
【補正の内容】
【０００７】
請求項４に記載の発明では、請求項２に記載の定着装置において、前記所定の第２の電圧または第２の電流の大きさは、前記画像形成指令が白黒画像形成指令である場合は、カラー画像形成指令である場合より小さく設定することを特徴とする。
請求項５に記載の発明では、加熱源と、該加熱源によって加熱される加熱部材と、該加熱部材に対し所定の圧力をもって接する加圧部材とを有し、前記加熱部材と前記加圧部材との間に形成される定着部に、未定着トナー像を形成された記録媒体を通過させることによって、前記トナー像を前記記録媒体に定着させるカラー画像形成装置の定着装置において、画像形成指令が出たことにより、画像形成指令が出た時点から定着が可能である印刷を開始するまでの間、前記加熱源に所定の第１の電圧または第１の電流を供給し、印刷開始から所定の時間経過後は、前記所定の第１の電圧または第１の電流より小さい所定の第２の電圧または第２の電流に切り替え、前記所定の第２の電圧または第２の電流の大きさは、前記画像形成指令が白黒画像形成指令である場合は、カラー画像形成指令である場合より小さく設定することを特徴とする。
【手続補正４】
【補正対象書類名】明細書
【補正対象項目名】０００８
【補正方法】変更
【補正の内容】
【０００８】
請求項６に記載の発明では、加熱源と、該加熱源によって加熱される加熱部材と、該加熱部材に対し所定の圧力をもって接する加圧部材とを有し、前記加熱部材と前記加圧部材との間に形成される定着部に、未定着トナー像を形成された記録媒体を通過させることによって、前記トナー像を前記記録媒体に定着させるカラー画像形成装置の定着装置において、画像形成指令が出たことにより、画像形成指令が出た時点から印刷を開始するまでの間、前記加熱源に所定の第１の電力を供給するに当たって、前記画像形成指令が白黒画像形成指令である場合は、前記加熱源に供給する前記所定の第１の電力のデューティをカラー画像形成指令である場合より小さく設定し、印刷を開始するときの前記加熱源に供給する所定の第２の電力のデューティは、前記所定の第１の電力のデューティよりも小さい所定の電力のデューティに切り替えることを特徴とする。
【手続補正５】
【補正対象書類名】明細書
【補正対象項目名】０００９
【補正方法】変更
【補正の内容】
【０００９】
請求項７に記載の発明では、加熱源と、該加熱源によって加熱される加熱部材と、該加熱部材に対し所定の圧力をもって接する加圧部材とを有し、前記加熱部材と前記加圧部材との間に形成される定着部に、未定着トナー像を形成された記録媒体を通過させることによって、前記トナー像を前記記録媒体に定着させるカラー画像形成装置の定着装置において、画像形成指令が出たことにより、画像形成指令が出た時点から印刷を開始するまでの間、前記加熱源に所定の第１の電力を供給するに当たって、前記画像形成指令が白黒画像形成指令である場合は、前記加熱源に供給する前記所定の第１の電力のデューティをカラー画像形成指令である場合より小さく設定し、印刷開始から所定の時間経過後における前記加熱源に供給する所定の第２の電力のデューティは、前記所定の第１の電力のデューティよりも小さい所定の電力のデューティに切り替えることを特徴とする。
請求項８に記載の発明では、請求項６に記載の定着装置において、前記所定の第２の電力のデューティの大きさは、前記画像形成指令が白黒画像形成指令である場合は、カラー画像形成指令である場合より小さく設定することを特徴とする。
請求項９に記載の発明では、請求項７に記載の定着装置において、前記所定の第２の電力のデューティの大きさは、前記画像形成指令が白黒画像形成指令である場合は、カラー画像形成指令である場合より小さく設定することを特徴とする。
請求項１０に記載の発明では、加熱源と、該加熱源によって加熱される加熱部材と、該加熱部材に対し所定の圧力をもって接する加圧部材とを有し、前記加熱部材と前記加圧部材との間に形成される定着部に、未定着トナー像を形成された記録媒体を通過させることによって、前記トナー像を前記記録媒体に定着させるカラー画像形成装置の定着装置において、画像形成指令が出たことにより、画像形成指令が出た時点から定着が可能である印刷を開始するまでの間、前記加熱源に所定の第１の電力を供給し、印刷開始から所定の時間経過後は、前記所定の第１の電力のデューティより小さい所定の第２の電力のデューティに切り替え、前記所定の第２の電力のデューティの大きさは、前記画像形成指令が白黒画像形成指令である場合は、カラー画像形成指令である場合より小さく設定することを特徴とする。
請求項１１に記載の発明では、請求項１ないし１０のいずれか１つに記載の定着装置を用いたカラー画像形成装置を特徴とする。
【手続補正６】
【補正対象書類名】特許請求の範囲
【補正対象項目名】全文
【補正方法】変更
【補正の内容】
【特許請求の範囲】
【請求項１】
加熱源と、該加熱源によって加熱される加熱部材と、該加熱部材に対し所定の圧力をもって接する加圧部材とを有し、前記加熱部材と前記加圧部材との間に形成される定着部に、未定着トナー像を形成された記録媒体を通過させることによって、前記トナー像を前記記録媒体に定着させるカラー画像形成装置の定着装置において、
画像形成指令が出たことにより、画像形成指令が出た時点から印刷を開始するまでの間、前記加熱源に所定の第１の電圧または第１の電流を供給するに当たって、前記画像形成指令が白黒画像形成指令である場合は、前記加熱源に供給する前記所定の第１の電圧または第１の電流をカラー画像形成指令である場合より小さく設定し、印刷を開始するときの前記加熱源に供給する所定の第２の電圧または第２の電流は、前記所定の第１の電圧または第１の電流よりも小さい所定の電圧または電流に切り替えることを特徴とする定着装置。
【請求項２】
加熱源と、該加熱源によって加熱される加熱部材と、該加熱部材に対し所定の圧力をもって接する加圧部材とを有し、前記加熱部材と前記加圧部材との間に形成される定着部に、未定着トナー像を形成された記録媒体を通過させることによって、前記トナー像を前記記録媒体に定着させるカラー画像形成装置の定着装置において、
画像形成指令が出たことにより、画像形成指令が出た時点から印刷を開始するまでの間、前記加熱源に所定の第１の電圧または第１の電流を供給するに当たって、前記画像形成指令が白黒画像形成指令である場合は、前記加熱源に供給する前記所定の第１の電圧または第１の電流をカラー画像形成指令である場合より小さく設定し、印刷開始から所定の時間経過後における前記加熱源に供給する所定の第２の電圧または第２の電流は、前記所定の第１の電圧または第１の電流よりも小さい所定の電圧または電流に切り替えることを特徴とする定着装置。
【請求項３】
請求項１に記載の定着装置において、前記所定の第２の電圧または第２の電流の大きさは、前記画像形成指令が白黒画像形成指令である場合は、カラー画像形成指令である場合より小さく設定することを特徴とする定着装置。
【請求項４】
請求項２に記載の定着装置において、前記所定の第２の電圧または第２の電流の大きさは、前記画像形成指令が白黒画像形成指令である場合は、カラー画像形成指令である場合より小さく設定することを特徴とする定着装置。
【請求項５】
加熱源と、該加熱源によって加熱される加熱部材と、該加熱部材に対し所定の圧力をもって接する加圧部材とを有し、前記加熱部材と前記加圧部材との間に形成される定着部に、未定着トナー像を形成された記録媒体を通過させることによって、前記トナー像を前記記録媒体に定着させるカラー画像形成装置の定着装置において、画像形成指令が出たことにより、画像形成指令が出た時点から定着が可能である印刷を開始するまでの間、前記加熱源に所定の第１の電圧または第１の電流を供給し、印刷開始から所定の時間経過後は、前記所定の第１の電圧または第１の電流より小さい所定の第２の電圧または第２の電流に切り替え、前記所定の第２の電圧または第２の電流の大きさは、前記画像形成指令が白黒画像形成指令である場合は、カラー画像形成指令である場合より小さく設定することを特徴とする定着装置。
【請求項６】
加熱源と、該加熱源によって加熱される加熱部材と、該加熱部材に対し所定の圧力をもって接する加圧部材とを有し、前記加熱部材と前記加圧部材との間に形成される定着部に、未定着トナー像を形成された記録媒体を通過させることによって、前記トナー像を前記記録媒体に定着させるカラー画像形成装置の定着装置において、画像形成指令が出たことにより、画像形成指令が出た時点から印刷を開始するまでの間、前記加熱源に所定の第１の電力を供給するに当たって、前記画像形成指令が白黒画像形成指令である場合は、前記加熱源に供給する前記所定の第１の電力のデューティをカラー画像形成指令である場合より小さく設定し、印刷を開始するときの前記加熱源に供給する所定の第２の電力のデューティは、前記所定の第１の電力のデューティよりも小さい所定の電力のデューティに切り替えることを特徴とする定着装置。
【請求項７】
加熱源と、該加熱源によって加熱される加熱部材と、該加熱部材に対し所定の圧力をもって接する加圧部材とを有し、前記加熱部材と前記加圧部材との間に形成される定着部に、未定着トナー像を形成された記録媒体を通過させることによって、前記トナー像を前記記録媒体に定着させるカラー画像形成装置の定着装置において、
画像形成指令が出たことにより、画像形成指令が出た時点から印刷を開始するまでの間、前記加熱源に所定の第１の電力を供給するに当たって、前記画像形成指令が白黒画像形成指令である場合は、前記加熱源に供給する前記所定の第１の電力のデューティをカラー画像形成指令である場合より小さく設定し、印刷開始から所定の時間経過後における前記加熱源に供給する所定の第２の電力のデューティは、前記所定の第１の電力のデューティよりも小さい所定の電力のデューティに切り替えることを特徴とする定着装置。
【請求項８】
請求項６に記載の定着装置において、前記所定の第２の電力のデューティの大きさは、前記画像形成指令が白黒画像形成指令である場合は、カラー画像形成指令である場合より小さく設定することを特徴とする定着装置。
【請求項９】
請求項７に記載の定着装置において、前記所定の第２の電力のデューティの大きさは、前記画像形成指令が白黒画像形成指令である場合は、カラー画像形成指令である場合より小さく設定することを特徴とする定着装置。
【請求項１０】
加熱源と、該加熱源によって加熱される加熱部材と、該加熱部材に対し所定の圧力をもって接する加圧部材とを有し、前記加熱部材と前記加圧部材との間に形成される定着部に、未定着トナー像を形成された記録媒体を通過させることによって、前記トナー像を前記記録媒体に定着させるカラー画像形成装置の定着装置において、画像形成指令が出たことにより、画像形成指令が出た時点から定着が可能である印刷を開始するまでの間、前記加熱源に所定の第１の電力を供給し、印刷開始から所定の時間経過後は、前記所定の第１の電力のデューティより小さい所定の第２の電力のデューティに切り替え、前記所定の第２の電力のデューティの大きさは、前記画像形成指令が白黒画像形成指令である場合は、カラー画像形成指令である場合より小さく設定することを特徴とする定着装置。
【請求項１１】
請求項１ないし１０のいずれか１つに記載の定着装置を用いたことを特徴とするカラー画像形成装置。